(57)【特許請求の範囲】
【請求項１】
第一の基地局と、第二の基地局と、前記第一の基地局及び前記第二の基地局と通信する第三の基地局と、前記第一の基地局及び前記第二の基地局と通信するユーザ装置とを有する無線通信システムであって、
所定の基準値に基づいて、前記第一の基地局及び前記第二の基地局が共通に行う信号処理と、前記第三の基地局が行う信号処理との分担を決定する決定部と、
前記決定部で決定された分担に従って、前記第一の基地局が信号処理を行う第一の信号処理部と、
前記決定部で決定された分担に従って、前記第二の基地局が信号処理を行う第二の信号処理部と、
前記決定部で決定された分担に従って、前記第三の基地局が信号処理を行う第三の信号処理部と、
を有し、
前記所定の基準値は、前記第一の基地局及び前記第二の基地局が備えるアンテナ数のうち少なくともいずれか一方が前記ユーザ装置が備えるアンテナ数以上か否かであり、
前記決定部は、前記第一の基地局及び前記第二の基地局が備えるアンテナ数のうち少なくともいずれか一方が前記ユーザ装置が備えるアンテナ数以上か否かに基づいて、前記第一の基地局及び前記第二の基地局が共通に行う信号処理と、前記第三の基地局が行う信号処理との分担を決定する、
無線通信システム。
【請求項２】
第一の基地局と、第二の基地局と、前記第一の基地局及び前記第二の基地局と通信する第三の基地局と、前記第一の基地局及び前記第二の基地局と通信するユーザ装置とを有する無線通信システムにおいて、前記第三の基地局として用いられる基地局であって、
所定の基準値に基づいて、前記第一の基地局及び前記第二の基地局が共通に行う信号処理と、当該基地局が行う信号処理との分担を決定する決定部と、
前記決定部で決定された分担に従って、当該基地局が信号処理を行う信号処理部と、
を有し、
前記所定の基準値は、前記第一の基地局及び前記第二の基地局が備えるアンテナ数のうち少なくともいずれか一方が前記ユーザ装置が備えるアンテナ数以上か否かであり、
前記決定部は、前記第一の基地局及び前記第二の基地局が備えるアンテナ数のうち少なくともいずれか一方が前記ユーザ装置が備えるアンテナ数以上か否かに基づいて、前記第一の基地局及び前記第二の基地局が共通に行う信号処理と、前記第三の基地局が行う信号処理との分担を決定する、
基地局。
【請求項３】
第一の基地局と、第二の基地局と、前記第一の基地局及び前記第二の基地局と通信する第三の基地局と、前記第一の基地局及び前記第二の基地局と通信するユーザ装置とを有する無線通信システムにおいて、前記第一の基地局として用いられる基地局であって、
所定の基準値に基づいて、当該基地局及び前記第二の基地局が共通に行う信号処理と、前記第三の基地局が行う信号処理との分担を決定する決定部と、
前記決定部で決定された分担に従って、当該基地局が信号処理を行う信号処理部と、
を有し、
前記所定の基準値は、前記第一の基地局及び前記第二の基地局が備えるアンテナ数のうち少なくともいずれか一方が前記ユーザ装置が備えるアンテナ数以上か否かであり、
前記決定部は、前記第一の基地局及び前記第二の基地局が備えるアンテナ数のうち少なくともいずれか一方が前記ユーザ装置が備えるアンテナ数以上か否かに基づいて、前記第一の基地局及び前記第二の基地局が共通に行う信号処理と、前記第三の基地局が行う信号処理との分担を決定する、
基地局。
【発明の詳細な説明】
【技術分野】
【０００１】
本発明は、無線通信システム及び基地局に関する。
【背景技術】
【０００２】
ＬＴＥ（Long Term Evolution）及びＬＴＥ−Ａ（LTE-Advanced）の無線通信システムにおいて、トラフィックの高いホットスポットのようなエリアを効率よくサポートするために、装置コストを抑えながら多数のセルを収容することが可能なＣ−ＲＡＮ（Centralized Radio Access Network）と呼ばれる技術が知られている。
【０００３】
Ｃ−ＲＡＮは、リモート設置型の基地局（子局）である１又は複数のＲＡＵ（Remote Antenna Unit）と、ＲＡＵを集中制御する基地局（親局）であるＢＢＵ（BaseBand Unit）とから構成されている。ＢＢＵは、基地局が備えるレイヤ１〜レイヤ３までの機能を備えており、ＢＢＵで生成されたデジタルベースバンド信号はＲＡＵに伝送され、ＲＡＵが備えるＲＦ（Radio Frequency）機能部から送信される。
【０００４】
ＢＢＵとＲＡＵとの間をつなぐネットワーク回線はＦＨ（Front Haul）と呼ばれ、ＬＴＥではＦＨにＣＰＲＩ（Common Public Radio Interface）が用いられている。
【先行技術文献】
【非特許文献】
【０００５】
【非特許文献１】"ドコモ５Ｇホワイトペーパー"、２０１４年９月、ＮＴＴドコモ、インターネットURL: https://www.nttdocomo.co.jp/corporate/technology/whitepaper_5g/
【発明の概要】
【発明が解決しようとする課題】
【０００６】
現在のＬＴＥでは、レイヤ１（物理レイヤ：Ｌ１）、レイヤ２（ＭＡＣ、ＲＬＣ、ＰＤＣＰ）及びレイヤ３（ＲＲＣ）の機能はＢＢＵ側に実装される。そのため、２×２ＭＩＭＯ（Multi Input Multi Output）を用いた場合にＦＨに必要な帯域は、ＢＢＵでサポートされるピークレートの約１６倍になる。例えば、図１に示すように、システム帯域が２０ＭＨｚであり、かつ、２×２ＭＩＭＯの無線通信（最大１５０Ｍｂｐｓ）をＢＢＵがサポートする場合、ＣＰＲＩに必要な帯域は約２．５Ｇｂｐｓになる。さらに、本構成においてはアンテナ数及びシステム帯域の増大に比例してＣＰＲＩに必要な帯域は増大する。
【０００７】
現在検討が進められている５Ｇが導入されると、ピークレートの向上に伴いＦＨに必要な帯域も飛躍的に増大することになる。仮に１０Ｇｂｐｓのピークレートを実現しようとした場合、ＣＰＲＩに必要な帯域は数百Ｇｂｐｓ以上になるため、現状のＣＰＲＩ規格（最大２４．３３Ｇｂｐｓ）では対応することができない。
【０００８】
そこで、ＢＢＵに実装されているレイヤの一部をＲＡＵ側で実現することで、ＦＨで伝送される伝送量を削減することが検討されている。ＢＢＵとＲＡＵとの間の機能分担については様々なバリエーションが検討されているが、一例として、レイヤ１の全ての処理をＲＡＵで実現し、レイヤ２以上の処理をＢＢＵで実現する案や、レイヤ１の処理の一部をＲＡＵ側で実現し、残りのレイヤ１の処理及びレイヤ２以上の処理をＢＢＵ側で実現する案などが検討されている。
【０００９】
また、ＣＰＲＩよりも安価なＦＨを実現するために、１本の光ファイバを複数の拠点で共有するＰＯＮ（Passive Optical Network）や、イーサネット（登録商標）網などのネットワークをＦＨに利用することも検討されている（図２）。これらのネットワークは複数の拠点で共有されるため、各拠点間の信号量の変動に応じて、ＦＨで伝送される伝送量の制御が必要になると考えられる。
【００１０】
また、ＲＡＵはＢＢＵよりも比較的処理能力が低いことが想定される。従って、単純にＦＨの伝送量を削減するだけでは、ＲＡＵの処理負荷が大きくなってしまう。従って、ＲＡＵの処理負荷やユーザ装置との間の通信品質などを考慮して、ＢＢＵとＲＡＵとの間の機能分担を状況に応じて適切に切替えることが可能な仕組みが必要である。
【００１１】
開示の技術は上記に鑑みてなされたものであって、Ｃ−ＲＡＮによる無線通信ネットワークにおいて、ＢＢＵとＲＡＵとの間の機能分担を適切に切替えることが可能な技術を提供することを目的とする。
【課題を解決するための手段】
【００１２】
開示の技術の無線通信システムは、第一の基地局と、第二の基地局と、前記第一の基地局及び前記第二の基地局と通信する第三の基地局と、前記第一の基地局及び前記第二の基地局と通信するユーザ装置とを有する無線通信システムであって、所定の基準値に基づいて、前記第一の基地局及び前記第二の基地局が共通に行う信号処理と、前記第三の基地局が行う信号処理との分担を決定する決定部と、前記決定部で決定された分担に従って、前記第一の基地局が行う信号処理を行う第一の信号処理部と、前記決定部で決定された分担に従って、前記第二の基地局が行う信号処理を行う第二の信号処理部と、前記決定部で決定された分担に従って、前記第三の基地局が行う信号処理を行う第三の信号処理部と、を有し、前記所定の基準値は、前記第一の基地局及び前記第二の基地局が備えるアンテナ数のうち少なくともいずれか一方が前記ユーザ装置が備えるアンテナ数以上か否かであり、前記決定部は、前記第一の基地局及び前記第二の基地局が備えるアンテナ数のうち少なくともいずれか一方が前記ユーザ装置が備えるアンテナ数以上か否かに基づいて、前記第一の基地局及び前記第二の基地局が共通に行う信号処理と、前記第三の基地局が行う信号処理との分担を決定する。
【発明の効果】
【００１３】
開示の技術によれば、Ｃ−ＲＡＮによる無線通信ネットワークにおいて、ＢＢＵとＲＡＵとの間の機能分担を適切に切替えることが可能な技術が提供される。
【図面の簡単な説明】
【００１４】
【図１】ＦＨに必要な帯域を説明するための図である。
【図２】ＦＨへの利用が検討されているネットワークの一例を示す図である。
【図３】実施の形態に係る無線通信システムのシステム構成例を示す図である。
【図４】ＢＢＵとＲＡＵとの間の機能分担例を説明するための図である。
【図５】ＵＬにおける機能分担を切替える際の処理手順の一例を示すシーケンス図である。
【図６】ＤＬにおける機能分担を切替える際の処理手順の一例を示すシーケンス図である。
【図７】ＵＬにおける機能分担の切替え処理の動作例を示す図である。
【図８】ＤＬにおける機能分担の切替え処理の動作例を示す図である。
【図９】実施の形態に係るＢＢＵの機能構成例を示す図である。
【図１０】実施の形態に係るＲＡＵの機能構成例を示す図である。
【図１１】実施の形態に係るＢＢＵのハードウェア構成例を示す図である。
【図１２】実施の形態に係るＲＡＵのハードウェア構成例を示す図である。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥ又は５Ｇに準拠した方式のシステムを想定しているが、本発明はＬＴＥ又は５Ｇに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１６】
＜システム構成＞
図３は、実施の形態に係る無線通信システムのシステム構成例を示す図である。図３に示すように、本実施の形態に係る無線通信システムは、ＢＢＵ１とＲＡＵ２ａとＲＡＵ２ｂとユーザ装置ＵＥとを含む。以下の説明で、ＲＡＵ２ａとＲＡＵ２ｂとを区別しない場合、「ＲＡＵ２」と記載する。図３では、ＲＡＵ２ａとＲＡＵ２ｂとが図示されているが、３つ以上のＲＡＵ２が含まれていてもよい。
【００１７】
ＢＢＵ１は、集約基地局と呼ばれてもよいし、親局と呼ばれてもよいし、単に基地局（ｅＮＢ：enhanced Node B）と呼ばれてもよい。ＲＡＵ２は、張出し基地局と呼ばれてもよいし、子局と呼ばれてもよいし、単に基地局と呼ばれてもよい。ＢＢＵ１とＲＡＵ２は、ＦＨを介して所定の信号を送受信する。
【００１８】
また、ＢＢＵ１は、ＲＡＵ２ａ及びＲＡＵ２ｂがＤＬ信号を協調してユーザ装置ＵＥに送信する（協調送信する）ように制御する。同様に、ＢＢＵ１は、ＲＡＵ２ａ及びＲＡＵ２ｂのそれぞれで受信されたＵＬ信号の合成又は選択等を行うことで、ユーザ装置ＵＥからのＵＬ信号をＢＢＵ１側で協調して受信する（協調受信する）ように制御する。
【００１９】
＜ＢＢＵとＲＡＵとの間の機能分担＞
図４は、ＢＢＵとＲＡＵとの間の機能分担例を説明するための図である。図４（ａ）はＵＬにおける機能分担例を示しており、図４（ｂ）はＤＬにおける機能分担例を示している。図４（ａ）の境界「Ｕ１」〜「Ｕ９」は、ＢＢＵ１とＲＡＵ２でそれぞれ行われるＵＬの処理の境界を示している。例えば境界「Ｕ６」で機能分担する場合、レイヤ２以上の機能に係る処理はＢＢＵ１側で行われ、レイヤ１の機能に係る処理はＲＡＵ２側で行われることを意味する。また、例えば境界「Ｕ２」で機能分担する場合、レイヤ１の機能に係る処理のうちＦＦＴまでの処理はＲＡＵ２側で行われ、リソースデマッピング（Resource Element Demapping）以降の処理はＢＢＵ１側で行われることを意味する。境界「Ｕ１」は、ＣＰＲＩを用いてＢＢＵ１とＲＡＵ２を接続する構成に該当する。なお、ＵＬでＭＩＭＯによる通信が行われない場合、信号検出（Signal Detection）の処理は省略される。
【００２０】
同様に、図４（ｂ）の境界「Ｄ１」〜「Ｄ１０」は、ＢＢＵ１とＲＡＵ２でそれぞれ行われるＤＬの処理の境界を示している。例えば境界「Ｄ７」で機能分担する場合、レイヤ２以上の機能に係る処理はＢＢＵ１側で行われ、レイヤ１の機能に係る処理はＲＡＵ２側で行われることを意味する。また、例えば境界「Ｄ２」で機能分担する場合、レイヤ１の機能に係る処理のうちリソースマッピング（Resource element mapping）までの処理はＢＢＵ１側で行われ、ＯＦＤＭ信号の生成（OFDM signal generation）はＲＡＵ２側で行われることを意味する。境界「Ｄ１」は、ＣＰＲＩを用いてＢＢＵ１とＲＡＵ２を接続する構成に該当する。なお、ＤＬでＭＩＭＯによる通信が行われない場合、レイヤマッピング（Layer mapper）及びプリコーディング（Precoding）の処理は省略される。
【００２１】
本実施の形態に係るＢＢＵ１、ＲＡＵ２ａ及びＲＡＵ２ｂは、ＵＬにおける境界「Ｕ１」〜「Ｕ９」のうち、どの境界で機能分担するのか（信号処理を分担するのか）を任意に切替えることが可能である。同様に、本実施の形態に係るＢＢＵ１、ＲＡＵ２ａ及びＲＡＵ２ｂは、ＤＬにおける境界「Ｄ１」〜「Ｄ１０」のうち、どの境界で機能分担するのか（信号処理を分担するのか）を任意に切替えることが可能である。なお、本実施の形態に係るＢＢＵ１、ＲＡＵ２ａ及びＲＡＵ２ｂは、ＲＡＵ２ａ及びＲＡＵ２ｂ単位で共通に機能分担を切替える（言い換えると、ＲＡＵ２ａ及びＲＡＵ２ｂで同一の機能分担になるようにする）ようにしてもよいし、ユーザ装置ＵＥ単位で共通に機能分担を切替える（言い換えると、同一のユーザ装置ＵＥに対しては同一の機能分担になるようにする）ようにしてもよい。また、ＵＬとＤＬで独立して切替えるようにしてもよい。
【００２２】
＜処理手順＞
（ＵＬにおける機能分担の切替え）
図５は、ＵＬにおける機能分担を切替える際の処理手順の一例を示すシーケンス図である。
【００２３】
ステップＳ１０１で、ＢＢＵ１又はＲＡＵ２は、ＢＢＵ１が行う信号処理と、ＲＡＵ２が行う信号処理（ＲＡＵ２ａ及びＲＡＵ２ｂが共通に行う信号処理）との分担を決定（機能分担を決定）する。本実施の形態では、ＢＢＵ１とＲＡＵ２との間における機能分担の境界（「Ｕ１」〜「Ｕ９」）をＢＢＵ１で決定するようにしてもよいし、ＲＡＵ２で決定するようにしてもよい。
【００２４】
より具体的には、ＢＢＵ１又はＲＡＵ２は、所定の基準値に基づいて、ＲＡＵ２が行う信号処理とＢＢＵ１が行う信号処理との分担を決定する。例えば、ＢＢＵ１又はＲＡＵ２内に、所定の基準値の範囲とＵＬにおける境界「Ｕ１」〜「Ｕ９」と１対１に対応づけるテーブルを保持しておき、ＢＢＵ１又はＲＡＵ２は、当該テーブルと所定の基準値とを比較することで、ＲＡＵ２が行う信号処理とＢＢＵ１が行う信号処理との分担を決定するようにしてもよい。また、ＢＢＵ１又はＲＡＵ２内に所定の閾値を保持しておき、所定の基準値が所定の閾値以上であるか否かを判断することで、境界「Ｕ１」〜「Ｕ９」のうちどの境界で機能分担を分けるのかを決定するようにしてもよい。所定の基準値の取得（又は測定）は、ＢＢＵ１で行ってもよいし、ＲＡＵ２で行ってもよい。ＢＢＵ１又はＲＡＵ２は、必要に応じて、相手方（ＲＡＵ２又ＢＢＵ１）に取得結果（又は測定結果）を通知するようにしてもよい。所定の基準値の具体例については後述する。
【００２５】
ＢＢＵ１又はＲＡＵ２は、機能分担の決定結果を相手方（ＲＡＵ２又ＢＢＵ１）に通知する。なお、ＲＡＵ２が機能分担の決定を行う場合、ＲＡＵ２ａ及びＲＡＵ２ｂの間で機能分担の決定結果をお互いに通知する。また、ＲＡＵ２が機能分担の決定を行う場合、ＲＡＵ２ａ及びＲＡＵ２ｂは、どの機能に係る信号処理までをＲＡＵ２ａ及びＲＡＵ２ｂ側で行ったのかを示す識別子を、後述するステップＳ１１３ａ及びステップＳ１１３ｂの処理手順で送信するＵＬ信号のヘッダ情報に付与するようにしてもよい。ＵＬの機能分担をダイナミックに切替えることが可能になる。
【００２６】
ステップＳ１１１ａで、ＲＡＵ２ａは、ユーザ装置ＵＥから送信されたＵＬ信号を受信する。同様に、ステップＳ１１１ｂで、ＲＡＵ２ｂは、ユーザ装置ＵＥから送信されたＵＬ信号を受信する。続いて、ＲＡＵ２ａは、自身が行うべき信号処理を行い（Ｓ１１２ａ）、信号処理を行った後の信号をＢＢＵ１に送信する（Ｓ１１３ａ）。同様に、ＲＡＵ２ｂは、自身が行うべき信号処理を行い（Ｓ１１２ｂ）、信号処理を行った後の信号をＢＢＵ１に送信する（Ｓ１１３ｂ）。
【００２７】
ステップＳ１１４で、ＢＢＵ１は、自身が行うべき信号処理を行う（Ｓ１１４）。ここで、ＢＢＵ１は、ＲＡＵ２ａから送信されたＵＬ信号と、ＲＡＵ２ｂから送信されたＵＬ信号とを用いて協調受信を行う。協調受信を行う方法についてはどのような方法であってもよい。例えば、ＢＢＵ１は、ＲＡＵ２ａから受信したＵＬ信号、及びＲＡＵ２ｂから受信したＵＬ信号のうち、いずれか一方のＵＬ信号を選択するようにしてもよいし、両方のＵＬ信号を合成受信するようにしてもよい。また、いずれか一方のＵＬ信号を選択する場合、ＲＡＵ２ａ及びＲＡＵ２ｂでＵＬ信号の受信品質（ＳＮＲ、ＳＩＮＲなど）を測定し、ＵＬ信号の受信品質が良好なＵＬ信号を選択するようにしてもよい。
【００２８】
なお、以上説明したステップＳ１０１〜Ｓ１１４の処理手順は、所定の間隔で繰り返し行われるようにしてもよい。これにより、例えば、ＵＬ信号又はＤＬ信号の受信品質の変化や、ＲＡＵ２の処理負荷の変化などに基づいて、ＵＬの機能分担をダイナミックに変更することが可能になる。
【００２９】
（ＤＬにおける機能分担の切替え）
図６は、ＤＬにおける機能分担を切替える際の処理手順の一例を示すシーケンス図である。なお、本実施の形態では、ＢＢＵ１とＲＡＵ２との間における機能分担の境界「Ｄ１」〜「Ｄ１０」をＢＢＵ１で決定するようにしてもよいし、ＲＡＵ２で決定するようにしてもよい。
【００３０】
ステップＳ２０１で、ＢＢＵ１又はＲＡＵ２は、ＢＢＵ１が行う信号処理と、ＲＡＵ２が行う信号処理（ＲＡＵ２ａ及びＲＡＵ２ｂが共通に行う信号処理）との分担を決定（機能分担を決定）する。本実施の形態では、ＢＢＵ１とＲＡＵ２との間における機能分担の境界（「Ｄ１」〜「Ｄ１０」）をＢＢＵ１で決定するようにしてもよいし、ＲＡＵ２で決定するようにしてもよい。
【００３１】
より具体的には、ＢＢＵ１又はＲＡＵ２は、所定の基準値に基づいて、ＲＡＵ２が行う信号処理とＢＢＵ１が行う信号処理との分担を決定する。例えば、ＢＢＵ１又はＲＡＵ２内に、所定の基準値の範囲とＤＬにおける境界「Ｄ１」〜「Ｄ１０」と１対１に対応づけるテーブルを保持しておき、ＢＢＵ１又はＲＡＵ２は、当該テーブルと所定の基準値とを比較することで、ＲＡＵ２が行う信号処理とＢＢＵ１が行う信号処理との分担を決定するようにしてもよい。また、ＢＢＵ１又はＲＡＵ２内に所定の閾値を保持しておき、所定の基準値が所定の閾値以上であるか否かを判断することで、境界「Ｄ１」〜「Ｄ１０」のうちどの境界で機能分担を分けるのかを決定するようにしてもよい。所定の基準値の取得（又は測定）は、ＢＢＵ１で行ってもよいし、ＲＡＵ２で行ってもよい。ＢＢＵ１又はＲＡＵ２は、必要に応じて、相手方（ＲＡＵ２又ＢＢＵ１）に取得結果（又は測定結果）を通知するようにしてもよい。
【００３２】
ＢＢＵ１又はＲＡＵ２は、機能分担の決定結果を相手方（ＲＡＵ２又ＢＢＵ１）に通知する。なお、ＲＡＵ２が機能分担の決定を行う場合、ＲＡＵ２ａ及びＲＡＵ２ｂの両方で決定するようにしてもよいし、ＲＡＵ２ａ又はＲＡＵ２ｂのいずれか一方が決定を行うようにして、決定結果を相手方（ＲＡＵ２ｂ又はＲＡＵ２ａ）に通知するようにしてもよい。また、ＢＢＵ１が機能分担の決定を行う場合、ＢＢＵ１は、どの機能に係る信号処理までをＢＢＵ１側で行ったのかを示す識別子を、後述するステップＳ２１１の処理手順で送信するＤＬ信号のヘッダ情報に付与するようにしてもよい。ＤＬの機能分担をダイナミックに切替えることが可能になる。
【００３３】
ＢＢＵ１は、ユーザ装置ＵＥに送信すべきＤＬ信号に対して自身が行うべき信号処理を行い（Ｓ２１１）、信号処理を行った後のＤＬ信号をＲＡＵ２ａ及びＲＡＵ２ｂに送信する（Ｓ２１２ａ、Ｓ２１２ｂ）。ここで、ＢＢＵ１は、ステップＳ２１１の処理手順において、ＲＡＵ２ａ及びＲＡＵ２ｂがＤＬ信号を協調してユーザ装置ＵＥに送信する（協調送信する）ように制御する。例えば、ＢＢＵ１は、生成した信号をＲＡＵ２ａ及びＲＡＵ２ｂの両方に送信するようにしてもよいし、ＤＬ信号をＲＡＵ２ａ及びＲＡＵ２ｂのうちいずれか一方のみに送信するようにしてもよい。ＲＡＵ２ａ及びＲＡＵ２ｂのうちいずれか一方を選択する場合、ユーザ装置ＵＥから、ＲＡＵ２ａとの間のＤＬ信号の受信品質とＲＡＵ２ｂとの間のＤＬ信号の受信品質とをＢＢＵ１にフィードバックさせるようにして、ＢＢＵ１は、受信品質が良好なＲＡＵ２を選択するようにしてもよい。また、ＢＢＵ１は、ユーザ装置ＵＥから、ＲＡＵ２ａ及びＲＡＵ２ｂとの間のＤＬ信号の伝搬状態（チャネル情報など）をＢＢＵ１にフィードバックさせるようにして、フィードバックされた伝搬状態に基づいてＲＡＵ２ａに送信すべきＤＬ信号とＲＡＵ２ｂに送信すべきＤＬ信号とを生成し、生成したＤＬ信号をＲＡＵ２ａ及びＲＡＵ２ｂに送信するようにしてもよい。
【００３４】
続いて、ＲＡＵ２ａ及びＲＡＵ２ｂは、機能分担に基づいて自身が行うべき信号処理を行い（Ｓ２１３ａ、Ｓ２１３ｂ）、信号処理を行った後のＤＬ信号をユーザ装置ＵＥに送信する（Ｓ２１４ａ、Ｓ２１４ｂ）。
【００３５】
なお、以上説明したステップＳ２０１〜Ｓ２１４の処理手順は、所定の間隔で繰り返し行われるようにしてもよい。これにより、例えば、ＵＬ信号又はＤＬ信号の受信品質の変化や、ＲＡＵ２の処理負荷の変化などに基づいて、ＤＬの機能分担をダイナミックに変更することが可能になる。
【００３６】
（所定の基準値の例）
所定の基準値は、例えば、ユーザ装置ＵＥから受信したＵＬ信号又はユーザ装置ＵＥが
受信したＤＬ信号のＳＩＮＲ（Signal to Interference plus Noise power Ratio）又はＳＮＲ（Signal to Noise Ratio）の値でもよい。ＳＩＮＲ又はＳＮＲの範囲とＵＬ又はＤＬにおける境界とを対応づけるテーブルとして、例えば、ＳＩＮＲ又はＳＮＲの範囲が大きい順に、「境界「Ｕ９」、「Ｕ８」、「Ｕ７」、「Ｕ６」、「Ｕ５」、「Ｕ４」、「Ｕ３」、「Ｕ２」、「Ｕ１」」又は「境界「Ｄ１０」、「Ｄ９」、「Ｄ８」、「Ｄ７」、「Ｄ６」、「Ｄ５」、「Ｄ４」、「Ｄ３」、「Ｄ２」、「Ｄ１」」を対応づけるテーブルが用いられるようにしてもよい。つまり、ＳＩＮＲ又はＳＮＲが大きいほど、ＲＡＵ２側で行う処理が多くなるようにしてもよい。また、他の例として、ＳＩＮＲ又はＳＮＲが所定の閾値以上である場合はＵＬ又はＤＬにおける所定の境界（例えば「Ｕ６」、「Ｄ７」など）で機能分担を分けるようにして、所定の閾値未満である場合はＵＬ又はＤＬにおける所定の境界（例えば「Ｕ２」、「Ｄ２」など）で機能分担を分けるようにしてもよい。
【００３７】
ＳＩＮＲ又はＳＮＲの取得（測定）は、ＲＡＵ２で行ってもよいし、ＢＢＵ１で行ってもよい。また、ＲＡＵ２で測定を行う場合、ＲＡＵ２ａで測定したＳＩＮＲ又はＳＮＲと、ＲＡＵ２ｂで測定したＳＩＮＲ又はＳＮＲのうち値が大きい側を選択して用いるようにしてもよい。また、機能分担をユーザ装置ＵＥ毎に切替える場合、ＲＡＵ２又はＢＢＵ１は、参照信号の系列や各ユーザ装置ＵＥに割当てられたリソース位置に基づいて、ユーザ装置ＵＥ毎のＳＩＮＲ又はＳＮＲを取得（測定）するようにしてもよい。この場合、ＢＢＵ１から参照信号の系列や各ユーザ装置ＵＥに割当てられたリソース位置をＲＡＵ２に予め通知しておくようにしてもよい。また、機能分担をＲＡＵ２単位で切替える場合、例えば、ユーザ装置ＵＥ毎にＤＬ／ＵＬの無線リソースがスケジューリングされる時間を分けることで、ＲＡＵ２単位で機能分担を切替えることを可能にしてもよい。
【００３８】
また、所定の基準値は、ユーザ装置ＵＥから受信したＵＬ信号又はユーザ装置ＵＥが受信したＤＬ信号のＣＲＣ（Cyclic Redundancy Check）チェックの成功率でもよい。ＣＲＣチェックの成功率とは、所定の物理チャネルで伝送される無線信号に含まれるＣＲＣが正しいと判断された確率を意味している。ユーザ装置ＵＥとＲＡＵ２との間の無線品質が劣化した場合、ＣＲＣチェック成功率は下がることになる。
【００３９】
ＣＲＣチェック成功率の範囲とＵＬ又はＤＬにおける境界とを対応づけるテーブルとして、例えば、ＣＲＣチェック成功率の範囲が高い順に、「境界「Ｕ９」、「Ｕ８」、「Ｕ７」、「Ｕ６」、「Ｕ５」、「Ｕ４」、「Ｕ３」、「Ｕ２」、「Ｕ１」」又は「境界「Ｄ１０」、「Ｄ９」、「Ｄ８」、「Ｄ７」、「Ｄ６」、「Ｄ５」、「Ｄ４」、「Ｄ３」、「Ｄ２」、「Ｄ１」」を対応づけるテーブルが用いられるようにしてもよい。つまり、ＣＲＣチェック成功率が高いほど、ＲＡＵ２側で行う処理が多くなるようにしてもよい。また、他の例として、ＣＲＣチェック成功率が所定の閾値以上である場合はＵＬ又はＤＬにおける所定の境界（例えば「Ｕ６」、「Ｄ７」など）で機能分担を分けるようにして、所定の閾値未満である場合はＵＬ又はＤＬにおける所定の境界（例えば「Ｕ２」、「Ｄ２」など）で機能分担を分けるようにしてもよい。
【００４０】
ＣＲＣチェック成功率の取得（測定）は、ＲＡＵ２で行ってもよいし、ＢＢＵ１で行ってもよい。また、ＲＡＵ２で測定を行う場合、ＲＡＵ２ａで測定したＣＲＣチェック成功率と、ＲＡＵ２ｂで測定したＣＲＣチェック成功率のうち値が大きい側を選択して用いるようにしてもよい。なお、ＣＲＣチェックはデコードの処理を行う際に行われるため、デコードに係る処理を行う装置（ＢＢＵ１又はＲＡＵ２）がＣＲＣチェック成功率の取得を行うことが望ましい。
【００４１】
また、所定の基準値は、ユーザ装置ＵＥからＵＬ信号又はＤＬ信号が所定の期間内で再送された回数（又は再送された回数の所定の期間の平均値）であってもよい。ユーザ装置ＵＥからＵＬ信号が所定の期間内で再送された回数は、例えばＰＵＣＣＨ又はＰＵＳＣＨでＮＡＫが通知された回数でカウントされるようにしてもよい。
【００４２】
再送された回数の範囲とＵＬ又はＤＬにおける境界とを対応づけるテーブルとして、例えば、再送された回数の範囲が少ない順に、「境界「Ｕ９」、「Ｕ８」、「Ｕ７」、「Ｕ６」、「Ｕ５」、「Ｕ４」、「Ｕ３」、「Ｕ２」、「Ｕ１」」又は「境界「Ｄ１０」、「Ｄ９」、「Ｄ８」、「Ｄ７」、「Ｄ６」、「Ｄ５」、「Ｄ４」、「Ｄ３」、「Ｄ２」、「Ｄ１」」を対応づけるテーブルが用いられるようにしてもよい。つまり、再送された回数が少ないほど、ＲＡＵ２側で行う処理が多くなるようにしてもよい。また、他の例として、再送された回数が所定の閾値未満である場合はＵＬ又はＤＬにおける所定の境界（例えば「Ｕ６」、「Ｄ７」など）で機能分担を分けるようにして、所定の閾値以上である場合はＵＬ又はＤＬにおける所定の境界（例えば「Ｕ２」、「Ｄ２」など）で機能分担を分けるようにしてもよい。
【００４３】
再送された回数の取得（測定）は、ＲＡＵ２で行ってもよいし、ＢＢＵ１で行ってもよい。また、ＲＡＵ２で測定を行う場合、ＲＡＵ２ａで測定した回数と、ＲＡＵ２ｂで測定した回数の平均値を用いるようにしてもよいし、測定された回数が大きい側を選択して用いるようにしてもよい。なお、ＮＡＫの受信はデコード後の信号で行われるため、デコードに係る処理を行う装置（ＢＢＵ１、ＲＡＵ２ａ、ＲＡＵ２ｂ）が再送回数の取得を行うことが望ましい。
【００４４】
また、所定の基準値は、ユーザ装置ＵＥから受信したＵＬ信号又はユーザ装置ＵＥが受信したＤＬ信号のチャネル推定誤差であってもよい。チャネル推定誤差とは、ユーザ装置ＵＥから受信したＵＬ信号又はユーザ装置ＵＥが受信したＤＬ信号に含まれる複数の参照信号の各々を用いてチャネル推定を行った結果の平均値と、各参照信号の個々のチャネル推定を行った結果との間に、どの程度ばらつき（分散）が生じているかを示す指標を意味する。ユーザ装置ＵＥとＲＡＵ２との間の無線品質が劣化した場合、チャネル推定誤差は増加することになる。
【００４５】
チャネル推定誤差の範囲とＵＬ又はＤＬにおける境界とを対応づけるテーブルとして、例えば、チャネル推定誤差の範囲が小さい順に、「境界「Ｕ９」、「Ｕ８」、「Ｕ７」、「Ｕ６」、「Ｕ５」、「Ｕ４」、「Ｕ３」、「Ｕ２」、「Ｕ１」」又は「境界「Ｄ１０」、「Ｄ９」、「Ｄ８」、「Ｄ７」、「Ｄ６」、「Ｄ５」、「Ｄ４」、「Ｄ３」、「Ｄ２」、「Ｄ１」」を対応づけるテーブルが用いられるようにしてもよい。つまり、チャネル推定誤差の範囲が小さいほど、ＲＡＵ２側で行う処理が多くなるようにしてもよい。また、他の例として、チャネル推定誤差が所定の閾値未満である場合はＵＬ又はＤＬにおける所定の境界（例えば「Ｕ６」、「Ｄ７」など）で機能分担を分けるようにして、所定の閾値以上である場合はＵＬ又はＤＬにおける所定の境界（例えば「Ｕ２」、「Ｄ２」など）で機能分担を分けるようにしてもよい。
【００４６】
また、所定の基準値は、ＲＡＵ２の処理負荷の大きさ（プロセッサの使用率、メモリの使用率、ＢＢＵ１及びＲＡＵ２間のデータ量など）であってもよい。ＲＡＵ２の処理負荷の大きさは、ＲＡＵ２ａの処理負荷及びＲＡＵ２ｂの処理負荷のうち、最も処理負荷が大きいＲＡＵ２の処理負荷を用いるようにしてもよい。ＲＡＵ２の処理負荷の大きさの範囲とＵＬ又はＤＬにおける境界とを対応づけるテーブルとして、例えば、ＲＡＵ２の処理負荷の範囲が大きい順に、「境界「Ｕ１」、「Ｕ２」、「Ｕ３」、「Ｕ４」、「Ｕ５」、「Ｕ６」、「Ｕ７」、「Ｕ８」、「Ｕ９」」又は「境界「Ｄ１、「Ｄ２」、「Ｄ３」、「Ｄ４」、「Ｄ５」、「Ｄ６」、「Ｄ７」、「Ｄ８」、「Ｄ９」、「Ｄ１０」」を対応づけるテーブルが用いられるようにしてもよい。つまり、ＲＡＵ２の処理負荷が大きいほど、ＲＡＵ２側で行うレイヤ１の処理が少なくなるようにしてもよい。また、他の例として、ＲＡＵ２の処理負荷の大きさが所定の閾値未満である場合はＵＬ又はＤＬにおける所定の境界（例えば「Ｕ６」、「Ｄ７」など）で機能分担を分けるようにして、所定の閾値以上である場合はＵＬ又はＤＬにおける所定の境界（例えば「Ｕ２」、「Ｄ２」など）で機能分担を分けるようにしてもよい。
【００４７】
ＲＡＵ２の処理負荷は、ＲＡＵ２ａ又は／及びＲＡＵ２ｂが自ら測定してもよいし、ＢＢＵ１が、ＲＡＵ２ａ又は／及びＲＡＵ２ｂに送信しているデータ量、ＲＡＵ２ａ又は／及びＲＡＵ２ｂ向けにスケジューリングしたデータ量などに基づいて、ＢＢＵ１が推定するようにしてもよい。
【００４８】
また、所定の基準値は、ＲＡＵ２ａ及びＲＡＵ２ｂが備えるアンテナ数のうち少なくともいずれか一方のアンテナ数が、ユーザ装置ＵＥが備えるアンテナ数以上か否かであってもよい。例えば、ＲＡＵ２ａ又はＲＡＵ２ｂが備えるアンテナ数のうち少なくともいずれか一方のアンテナ数が、ユーザ装置ＵＥが備えるアンテナ数以上の場合、ＲＡＵ２単体でもＭＩＭＯを用いたＵＬ信号の受信が可能であるため、ＵＬにおける所定の境界（例えば「Ｕ６」など）で機能分担を分けるようにしてもよい。逆に、ＲＡＵ２ａ及びＲＡＵ２ｂの各々が備えるアンテナ数が、ユーザ装置ＵＥが備えるアンテナ数より少ない場合、ＢＢＵ１側でＭＩＭＯを用いたＵＬ信号の受信を行う必要があると判断し、所定の境界（例えば「Ｕ２」など）で機能分担を分けるようにしてもよい。
【００４９】
なお、ユーザ装置ＵＥが備えるアンテナ数は、上位レイヤ（例えばＲＲＣレイヤ）等でユーザ装置ＵＥからＢＢＵ１に通知させるようにしてもよい。
【００５０】
（ＵＬにおける機能分担の切替え処理の動作例）
図７は、ＵＬにおける機能分担の切替え処理の動作例を示す図である。図７は、所定の基準値としてＳＩＮＲを用いる場合の動作例を示している。なお、図７では、図４（ａ）に示すレイヤ１の各種信号処理のうち一部を省略して図示しており、図７に示す境界「Ｕ２」、「Ｕ４」、「Ｕ６」は、それぞれ図４（ａ）に示す境界「Ｕ２」、「Ｕ４」、「Ｕ６」に対応している。なお、図７に示す境界は一例であり、これに限定されることを意図しているのではない。例えば、図７の境界「Ｕ２」は、境界「Ｕ３」であってもよいし、図７の境界「Ｕ４」は、境界「Ｕ５」であってもよい。また、図７には図示しないが、境界「Ｕ１」、「Ｕ７」〜「Ｕ９」のいずれかで機能分担を切替えることも可能である。
【００５１】
また、ＢＢＵ１はユーザ装置ＵＥから受信したＵＬ信号のＳＩＮＲを測定する機能を有しており、ＢＢＵ１で測定したＳＩＮＲに基づいて、ＢＢＵ１側で機能分担の決定を行う前提として説明する。
【００５２】
図７（ａ）に示すように、ユーザ装置ＵＥから受信したＵＬ信号のＳＩＮＲが所定の閾値以上である場合、すなわち、ＵＬ信号の受信品質が良好である場合、ＢＢＵ１は、レイヤ１に係る信号処理を全てＲＡＵ２ａ及びＲＡＵ２ｂ側で行うと決定する（領域「Ｕ６」で機能分担すると決定する）。続いて、ＢＢＵ１は、決定結果をＲＡＵ２ａ及びＲＡＵ２ｂに通知する。
【００５３】
ＲＡＵ２ａ及びＲＡＵ２ｂは、通知された決定結果に基づき、レイヤ１に係る信号処理を全て行い、復号されたＵＬ信号をＦＨを介してＢＢＵ１に送信する。ＢＢＵ１は、ＲＡＵ２ａ及びＲＡＵ２ｂから受信したデコード後のＵＬ信号のうち、いずれか一方のＵＬ信号を選択し、選択したＵＬ信号に対してレイヤ２以降の信号処理を行う。
【００５４】
一方、図７（ｂ）に示すように、ユーザ装置ＵＥから受信したＵＬ信号のＳＩＮＲが所定の閾値未満である場合、すなわち、ＵＬ信号の受信品質が良好ではない場合、ＢＢＵ１は、レイヤ１に係る信号処理のうちＦＦＴ処理までをＲＡＵ２ａ及びＲＡＵ２ｂ側で行い、それ以後の信号処理をＢＢＵ１側で行うと決定する（領域「Ｕ２」で機能分担すると決定する）。続いて、ＢＢＵ１は、決定結果をＲＡＵ２ａ及びＲＡＵ２ｂに通知する。
【００５５】
ＲＡＵ２ａ及びＲＡＵ２ｂは、通知された決定結果に基づき、レイヤ１に係る信号処理のうちＦＦＴ処理までを行い、ＦＦＴ処理後のＵＬ信号をＦＨを介してＢＢＵ１に送信する。ＢＢＵ１は、ＲＡＵ２ａ及びＲＡＵ２ｂから受信したＦＦＴ処理後のＵＬ信号に対して協調受信（例えばＭＭＳＥ（Minimum Mean Squared Error）合成やＭＬＤ（Maximum Likelihood Detection）による合成等）を行うと共に、レイヤ２以降の信号処理を行う。
【００５６】
なお、以上の動作例において、ユーザ装置ＵＥ毎に機能分担を切替える場合、ＲＡＵ２ａ及びＲＡＵ２ｂ側でどの無線リソースがどのユーザ装置ＵＥにスケジューリングされているのかをＲＡＵ２ａ及びＲＡＵ２ｂ側で認識可能にするため、ＢＢＵ１は、ユーザ装置ＵＥ毎の決定結果とユーザ装置ＵＥを識別する情報（例えば周波数方向の無線リソース位置など）とを対応づけてＲＡＵ２ａ及びＲＡＵ２ｂに通知しておくようにしてもよい。
【００５７】
このように動作することで、ユーザ装置ＵＥから受信したＵＬ信号の受信品質が良好である場合、ＲＡＵ２側でレイヤ１の信号処理を全て行うことで、ＦＨで伝送される伝送量を削減しつつＵＬ信号の受信性能を確保することができる。また、ＦＨで伝送される伝送量が削減されることで、伝送遅延の発生も抑制することができる。一方、ユーザ装置ＵＥから受信したＵＬ信号の受信品質が良好ではない場合、ＢＢＵ１側で協調受信を行うことでＵＬ信号の受信性能を確保することができる。
【００５８】
（ＤＬにおける機能分担の切替え処理の動作例）
図８は、ＤＬにおける機能分担の切替え処理の動作例を示す図である。図８は、所定の基準値としてＲＡＵ２の処理負荷を用いる場合の動作例を示している。なお、図８では、図４（ｂ）に示すレイヤ１の各種信号処理のうち一部を省略して図示しており、図８に示す境界「Ｄ２」、「Ｄ４」、「Ｄ７」は、それぞれ図４（ｂ）に示す境界「Ｄ２」、「Ｄ４」、「Ｄ７」に対応している。なお、図８に示す境界は一例であり、これに限定されることを意図しているのではない。例えば、図８の境界「Ｄ２」は、境界「Ｄ３」であってもよいし、図８の境界「Ｄ４」は、境界「Ｄ６」又は「Ｄ７」であってもよい。また、図８には図示しないが、境界「Ｄ１」、「Ｄ８」〜「Ｄ１０」のいずれかで機能分担を切替えることも可能である。
【００５９】
図８の例では、ＲＡＵ２ａ（又はＲＡＵ２ｂ）は自身の処理負荷を測定してＢＢＵ１に通知し、ＢＢＵ１側で機能分担の決定を行う前提として説明する。
【００６０】
図８（ａ）に示すように、ＲＡＵ２ａ（又はＲＡＵ２ｂ）の処理負荷が所定の閾値未満の場合、ＢＢＵ１は、レイヤ１に係る信号処理を全てＲＡＵ２ａ及びＲＡＵ２ｂ側で行うと決定する（領域「Ｄ７」で機能分担すると決定する）。また、当該決定結果に基づき、ＢＢＵ１は、レイヤ２に係る信号処理を行ったＤＬ信号をＦＨを介してＲＡＵ２ａ及びＲＡＵ２ｂに送信する。なお、ＢＢＵ１は、ＤＬ信号をＲＡＵ２ａ及びＲＡＵ２ｂに送信する際、ＤＬ信号に所定のヘッダを付与すると共に、当該ヘッダにレイヤ２までの信号処理を行ったことを示す識別子を付与して送信してもよい。図８（ａ）の場合、ＲＡＵ２ａ及びＲＡＵ２ｂでは、レイヤ１に係る信号処理を全て行うことになる。
【００６１】
なお、図８（ａ）の場合、ＢＢＵ１は、レイヤ２に係る信号処理を行ったＤＬ信号をＲＡＵ２ａ及びＲＡＵ２ｂのうちいずれか一方のみに送信するようにしてもよい。ＦＨの信号量を更に削減することが可能になる。
【００６２】
一方、図８（ｂ）に示すように、ＲＡＵ２（又はＲＡＵ２ｂ）の処理負荷が所定の閾値以上である場合、ＢＢＵ１は、レイヤ１に係る信号処理のうちリソースエレメントマッピング（Resource element mapping）までをＢＢＵ１側で行うと決定する（領域「Ｄ２」で機能分担すると決定する）。また、当該決定結果に基づき、ＢＢＵ１は、リソースエレメントマッピングまでの信号処理を行ったＤＬ信号をＦＨを介してＲＡＵ２ａ及びＲＡＵ２ｂに送信する。なお、ＢＢＵ１は、ＲＡＵ２ａ及びＲＡＵ２ｂとユーザ装置ＵＥとの間のＤＬ信号の伝搬状態（チャネル情報など）に基づいて、ＲＡＵ２ａに送信すべきＤＬ信号とＲＡＵ２ｂに送信すべきＤＬ信号とに対して異なるプリコーディング処理を行うようにしてもよい。
【００６３】
また、ＢＢＵ１は、ＤＬ信号をＲＡＵ２ａ及びＲＡＵ２ｂに送信する際、ＤＬ信号に所定のヘッダを付与すると共に、当該ヘッダにリソースエレメントマッピングまでの信号処理を行ったことを示す識別子を付与して送信してもよい。図８（ｂ）の場合、ＲＡＵ２ａ及びＲＡＵ２ｂでは、ＯＦＤＭ信号の生成（OFDM Signal Generation）に係る信号処理を行うことになる。
【００６４】
このように動作することで、ＲＡＵ２の処理負荷が逼迫した際、ＢＢＵ１側で多くの信号処理を行うようにすることで、ＲＡＵ２の処理負荷を軽減させることが可能になる。一方、ＲＡＵ２の処理負荷が低い場合、ＲＡＵ２側で多くの信号処理を行うようにすることで、ＦＨで伝送される伝送量を削減することが可能になる。また、ＦＨで伝送される伝送量が削減されることで、伝送遅延の発生も抑制することができる。
【００６５】
（処理手順に関する補足事項）
機能分担が変更される際、ＢＢＵ１又はＲＡＵ２は、所定の期間、ＤＬ及びＵＬのスケジューリングを停止するようにしてもよい。これにより、ＤＬ信号又はＵＬ信号が送信されている途中で機能分担が変更されてしまい、信号が欠損してしまう可能性を避けることができる。
【００６６】
＜機能構成＞
以上説明した実施の形態の動作を実現するＢＢＵ１及びＲＡＵ２の機能構成例を説明する。
【００６７】
（ＢＢＵ）
図９は、実施の形態に係るＢＢＵの機能構成例を示す図である。図９に示すように、ＢＢＵ１は、ＲＡＵ間信号送信部１０１と、ＲＡＵ間信号受信部１０２と、上位レイヤ処理部１０３と、機能分担決定部１０４とを有する。なお、図９は、ＢＢＵ１において実施の形態に特に関連する機能部のみを示すものであり、少なくともＬＴＥ（５Ｇ含む）に準拠した動作を行うための図示しない機能も有するものである。また、図９に示す機能構成は一例に過ぎない。本実施の形態に係る動作を実行できるのであれば、機能区分や機能部の名称はどのようなものでもよい。
【００６８】
ＲＡＵ間信号送信部１０１は、機能分担決定部１０４又はＲＡＵ２から通知された機能分担に基づき、上位レイヤ処理部１０３から受信したＤＬ信号に対して信号処理を行うことで信号を生成し、生成した信号を、ＦＨを介してＲＡＵ２に送信する機能を含む。ＲＡＵ間信号受信部１０２は、機能分担決定部１０４又はＲＡＵ２から通知された機能分担に基づき、ＲＡＵ２からＦＨを介して受信したＵＬ信号に対して信号処理を行い、上位レイヤ処理部１０３に送信する機能を含む。
【００６９】
また、ＲＡＵ間信号送信部１０１は、信号処理を行った信号を複数のＲＡＵ２のうちいずれか１つ又は複数のＲＡＵ２に送信する（協調送信を行う）。また、ＲＡＵ間信号受信部１０２は、複数のＲＡＵ２で信号処理された信号のうち、いずれか１つの信号又は複数の信号を用いて信号処理を行う（協調受信を行う）。また、ＲＡＵ間信号送信部１０１及びＲＡＵ間信号受信部１０２は、ＦＨで用いられる所定のプロトコルのインタフェースとしての機能を含む。
【００７０】
上位レイヤ処理部１０３は、レイヤ３（ＲＲＣ）の信号処理を行う機能、及びレイヤ２までの信号処理又はレイヤ３の信号処理を行った信号をコアネットワーク等に送信する機能を含む。
【００７１】
機能分担決定部１０４は、所定の基準値に基づいて、ＲＡＵ２が行う信号処理と、ＢＢＵ１が行う信号処理との分担を決定する機能を含む。
【００７２】
また、ＲＡＵ間信号送信部１０１は、更に、レイヤ２のＤＬの信号処理を行う処理部であるＰＤＣＰ処理部１０１１と、ＲＬＣ処理部１０１２と、ＭＡＣ処理部１０１３と、レイヤ１のＤＬの信号処理を行う処理部であるチャネルコーディング部１０１４と、変調部１０１５と、レイヤマッピング部１０１６と、プリコーディング部１０１７と、リソースマッピング部１０１８と、ＯＦＤＭ信号生成部１０１９とに分けられる。また、ＲＡＵ間信号送信部１０１は、出力部１０１０を有する。ＰＤＣＰ処理部１０１１は、ＰＤＣＰサブレイヤに係る各種の処理を行う。ＲＬＣ処理部１０１２は、ＲＬＣサブレイヤに係る各種の処理を行う。ＭＡＣ処理部１０１３は、ＭＡＣサブレイヤに係る各種の処理を行う。チャネルコーディング部１０１４は、上位レイヤ処理部１０３から受信したＤＬ信号に対し、ＣＲＣの付与、コードブロック分割、レートマッチング等の処理を行う。変調部１０１５は、ビット列を所定の変調方式を用いて変調する。レイヤマッピング部１０１６は、変調シンボルを各レイヤにマッピングする。プリコーディング部１０１７は、各レイヤの変調シンボルに対してプリコーディング処理を行うことで、各レイヤの変調シンボルを各アンテナポートにマッピングする。リソースマッピング部１０１８は、各アンテナポートで送信される変調シンボルを所定のリソースエレメントにマッピングする。ＯＦＤＭ信号生成部１０１９は、リソースエレメントにマッピングされた周波数領域の信号に対してＩＦＦＴ処理を行うことでＯＦＤＭ信号を生成する。出力部１０１０は、機能分担決定部１０４又はＲＡＵ２から通知された機能分担に基づき、上位レイヤ処理部１０３、ＰＤＣＰ処理部１０１１、ＲＬＣ処理部１０１２、ＭＡＣ処理部１０１３、チャネルコーディング部１０１４、変調部１０１５、レイヤマッピング部１０１６、プリコーディング部１０１７、リソースマッピング部１０１８、又はＯＦＤＭ信号生成部１０１９のいずれかで生成された信号を取り出してＲＡＵ２に送信する。
【００７３】
また、ＲＡＵ間信号受信部１０２は、更に、レイヤ１のＵＬの信号処理を行う処理部であるＦＦＴ処理部１０２１と、リソースデマッピング部１０２２と、信号検出部１０２３と、復調部１０２４と、デコード部１０２５と、レイヤ２のＵＬの信号処理を行う処理部であるＭＡＣ処理部１０２６と、ＲＬＣ処理部１０２７と、ＰＤＣＰ処理部１０２８とに分けられる。また、ＲＡＵ間信号受信部１０２は、入力部１０２０を有する。ＦＦＴ処理部１０２１は、受信したＵＬ信号に対してＣＰの除去及びＦＦＴ処理を行う。リソースデマッピング部１０２２は、ＦＦＴ処理された変調シンボルから、各ユーザ装置ＵＥにスケジューリングされた変調シンボルを取り出す。信号検出部１０２３は、空間多重された変調シンボルをレイヤ毎に分離する。なお、信号検出部１０２３は、例えば、ＭＬＤ等を用いて信号検出を行っても良い。復調部１０２４は、検出された変調シンボルからビット列を復調する。デコード部１０２５は、復調されたビット列を復号する処理を行う。ＭＡＣ処理部１０２６は、ＭＡＣサブレイヤに係る各種の処理を行う。ＲＬＣ処理部１０２７は、ＲＬＣサブレイヤに係る各種の処理を行う。ＰＤＣＰ処理部１０２８は、ＰＤＣＰサブレイヤに係る各種の処理を行う。入力部１０２０は、機能分担決定部１０４又はＲＡＵ２から通知された機能分担に基づき、ＲＡＵ２から受信したＵＬ信号を、ＦＦＴ処理部１０２１、リソースデマッピング部１０２２、信号検出部１０２３、復調部１０２４、デコード部１０２５、ＭＡＣ処理部１０２６、ＲＬＣ処理部１０２７、ＰＤＣＰ処理部１０２８、又は上位レイヤ処理部１０３のいずれかに渡す。
【００７４】
（ＲＡＵ）
図１０は、実施の形態に係るＲＡＵの機能構成例を示す図である。図１０に示すように、ＲＡＵ２は、ＵＥ間信号送信部２０１と、ＵＥ間信号受信部２０２と、ＢＢＵ間信号受信部２０３と、ＢＢＵ間信号送信部２０４と、機能分担決定部２０５とを有する。なお、図１０は、ＲＡＵ２において実施の形態に特に関連する機能部のみを示すものであり、少なくともＬＴＥ（５Ｇ含む）に準拠した動作を行うための図示しない機能も有するものである。また、図１０に示す機能構成は一例に過ぎない。本実施の形態に係る動作を実行できるのであれば、機能区分や機能部の名称はどのようなものでもよい。
【００７５】
ＵＥ間信号送信部２０１は、機能分担決定部２０５又はＢＢＵ１から通知された機能分担に基づき、ＢＢＵ間信号受信部２０３から受信したＤＬ信号に対して信号処理を行うことで信号を生成し、生成した信号をユーザ装置ＵＥに送信する機能を含む。ＵＥ間信号受信部２０２は、機能分担決定部２０５又はＢＢＵ１から通知された機能分担に基づき、ユーザ装置ＵＥから受信したＵＬ信号に対して信号処理を行い、ＢＢＵ間信号送信部２０４に送信する機能を含む。
【００７６】
ＢＢＵ間信号受信部２０３及びＢＢＵ間信号送信部２０４は、ＢＢＵ１と信号を送受信する機能、ＦＨで用いられる所定のプロトコルのインタフェースとしての機能を含む。
【００７７】
機能分担決定部２０５は、所定の基準値に基づいて、ＲＡＵ２が行う信号処理と、ＢＢＵ１が行う信号処理との分担を決定する機能を含む。
【００７８】
また、ＵＥ間信号送信部２０１は、更に、レイヤ２のＤＬの信号処理を行う処理部であるＰＤＣＰ処理部２０１１と、ＲＬＣ処理部２０１２と、ＭＡＣ処理部２０１３と、レイヤ１のＤＬの信号処理を行う処理部であるチャネルコーディング部２０１４と、変調部２０１５と、レイヤマッピング部２０１６と、プリコーディング部２０１７と、リソースマッピング部２０１８と、ＯＦＤＭ信号生成部２０１９とに分けられる。また、ＵＥ間信号送信部２０１は、入力部２０１０を有する。ＰＤＣＰ処理部２０１１、ＲＬＣ処理部２０１２、ＭＡＣ処理部２０１３、チャネルコーディング部２０１４、変調部２０１５、レイヤマッピング部２０１６、プリコーディング部２０１７、リソースマッピング部２０１８、及びＯＦＤＭ信号生成部２０１９は、それぞれＢＢＵ１のＰＤＣＰ処理部１０１１、ＲＬＣ処理部１０１２、ＭＡＣ処理部１０１３、チャネルコーディング部１０１４、変調部１０１５、レイヤマッピング部１０１６、プリコーディング部１０１７、リソースマッピング部１０１８、及びＯＦＤＭ信号生成部１０１９と同一であるため説明は省略する。入力部２０１０は、機能分担決定部２０５又はＢＢＵ１から通知された機能分担に基づき、ＢＢＵ間信号受信部２０３から受信したＤＬ信号を、ＰＤＣＰ処理部２０１１、ＲＬＣ処理部２０１２、ＭＡＣ処理部２０１３、チャネルコーディング部２０１４、変調部２０１５、レイヤマッピング部２０１６、プリコーディング部２０１７、リソースマッピング部２０１８、又はＯＦＤＭ信号生成部２０１９のいずれかに渡す。
【００７９】
また、ＵＥ間信号受信部２０２は、更に、レイヤ１のＵＬの信号処理を行う処理部であるＦＦＴ処理部２０２１と、リソースデマッピング部２０２２と、信号検出部２０２３と、復調部２０２４と、デコード部２０２５と、レイヤ２のＵＬの信号処理を行う処理部であるＭＡＣ処理部２０２６と、ＲＬＣ処理部２０２７と、ＰＤＣＰ処理部２０２８とに分けられる。また、ＵＥ間信号受信部２０２は、出力部２０２０を有する。ＦＦＴ処理部２０２１、リソースデマッピング部２０２２、信号検出部２０２３、復調部２０２４、デコード部２０２５、ＭＡＣ処理部２０２６、ＲＬＣ処理部２０２７、及びＰＤＣＰ処理部２０２８は、それぞれＢＢＵ１のＦＦＴ処理部１０２１、リソースデマッピング部１０２２、信号検出部１０２３、復調部１０２４、及びデコード部１０２５と同一であるため説明は省略する。出力部２０２０は、機能分担決定部２０５又はＢＢＵ１から通知された機能分担に基づき、ＦＦＴ処理部２０２１、リソースデマッピング部２０２２、信号検出部２０２３、復調部２０２４、デコード部２０２５、ＭＡＣ処理部２０２６、ＲＬＣ処理部２０２７、又はＰＤＣＰ処理部２０２８のいずれかで生成された信号を取り出してＢＢＵ間信号送信部２０４に渡す。
【００８０】
以上説明したＢＢＵ１及びＲＡＵ２の機能構成は、全体をハードウェア回路（例えば、１つ又は複数のＩＣチップ）で実現してもよいし、一部をハードウェア回路で構成し、その他の部分をＣＰＵとプログラムとで実現してもよい。
【００８１】
（ＢＢＵ）
図１１は、実施の形態に係るＢＢＵのハードウェア構成例を示す図である。図１１は、図９よりも実装例に近い構成を示している。図１１に示すように、ＢＢＵ１は、ＲＡＵ２と接続するためのインタフェースであるＲＡＵ間ＩＦ３０１と、ベースバンド信号処理を行うＢＢ処理モジュール３０２と、上位レイヤ等の処理を行う装置制御モジュール３０３と、コアネットワーク等と接続するためのインタフェースである通信ＩＦ３０４とを有する。
【００８２】
ＲＡＵ間ＩＦ３０１は、ＢＢＵ１とＲＡＵ２との間を接続するＦＨの物理回線を接続する機能、ＦＨで用いられるプロトコルを終端する機能を有する。ＲＡＵ間ＩＦ３０１は、例えば、図９に示すＲＡＵ間信号送信部１０１及びＲＡＵ間信号受信部１０２の一部を含む。
【００８３】
ＢＢ処理モジュール３０２は、ＩＰパケットと、ＲＡＵ２との間で送受信される信号とを相互に変換する処理を行う。ＤＳＰ３１２は、ＢＢ処理モジュール３０２における信号処理を行うプロセッサである。メモリ３２２は、ＤＳＰ３１２のワークエリアとして使用される。ＢＢ処理モジュール３０２は、例えば、図９に示すＲＡＵ間信号送信部１０１、ＲＡＵ間信号受信部１０２の一部、上位レイヤ処理部１０３の一部、及び機能分担決定部１０４の一部を含む。
【００８４】
装置制御モジュール３０３は、ＩＰレイヤのプロトコル処理、ＯＡＭ（Operation and Maintenance）処理等を行う。プロセッサ３１３は、装置制御モジュール３０３が行う処理を行うプロセッサである。メモリ３２３は、プロセッサ３１３のワークエリアとして使用される。補助記憶装置３３３は、例えばＨＤＤ等であり、基地局ｅＮＢ自身が動作するための各種設定情報等が格納される。装置制御モジュール３０３は、例えば、図９に示す上位レイヤ処理部１０３の一部、及び機能分担決定部１０４の一部を含む。
【００８５】
（ＲＡＵ）
図１２は、実施の形態に係るＲＡＵのハードウェア構成例を示す図である。図１２は、図１０よりも実装例に近い構成を示している。図１２に示すように、ＲＡＵ２は、無線信号に関する処理を行うＲＦ（Radio Frequency）モジュール４０１と、ベースバンド信号処理を行うＢＢ（Base Band）処理モジュール４０２と、ＢＢＵ１と接続するためのインタフェースであるＢＢＵ間ＩＦ４０３とを有する。
【００８６】
ＲＦモジュール４０１は、ＢＢ処理モジュール４０２から受信したデジタルベースバンド信号に対して、Ｄ／Ａ（Digital-to-Analog）変換、直交変調、周波数変換、及び電力増幅等を行うことでアンテナから送信すべき無線信号を生成する。また、受信した無線信号に対して、周波数変換、Ａ／Ｄ（Analog to Digital）変換、直交復調等を行うことでデジタルベースバンド信号を生成し、ＢＢ処理モジュール４０２に渡す。ＲＦモジュール４０１は、ＲＦ機能を含む。ＲＦモジュール４０１は、例えば、図１０に示すＵＥ間信号送信部２０１の一部、及びＵＥ間信号受信部２０２の一部を含む。
【００８７】
ＢＢ処理モジュール４０２は、ＢＢＵ間ＩＦ４０３を介してＢＢＵ１と送受信される信号とデジタルベースバンド信号とを相互に変換する処理を行う。ＤＳＰ（Digital Signal Processor）４１２は、ＢＢ処理モジュール４０２における信号処理を行うプロセッサである。メモリ４２２は、ＤＳＰ４１２のワークエリアとして使用される。ＢＢ処理モジュール４０２は、例えば、図１０に示すＵＥ間信号送信部２０１の一部、及びＵＥ間信号受信部２０２の一部、機能分担決定部２０５を含む。
【００８８】
ＢＢＵ間ＩＦ４０３は、ＢＢＵ１とＲＡＵ２との間を接続するＦＨの物理回線を接続する機能、ＦＨで用いられるプロトコルを終端する機能を有する。ＢＢＵ間ＩＦ４０３は、例えば、図１０に示すＢＢＵ間信号受信部２０３及びＢＢＵ間信号送信部２０４を含む。
【００８９】
＜まとめ＞
以上、実施の形態によれば、第一の基地局と、第二の基地局と、前記第一の基地局及び前記第二の基地局と通信する第三の基地局と、前記第一の基地局及び前記第二の基地局と通信するユーザ装置とを有する無線通信システムであって、所定の基準値に基づいて、前記第一の基地局及び前記第二の基地局が共通に行う信号処理と、前記第三の基地局が行う信号処理との分担を決定する決定部と、前記決定部で決定された分担に従って、前記第一の基地局が信号処理を行う第一の信号処理部と、前記決定部で決定された分担に従って、前記第二の基地局が信号処理を行う第二の信号処理部と、前記決定部で決定された分担に従って、前記第三の基地局が信号処理を行う第三の信号処理部と、を有する無線通信システムが提供される。この無線通信システムにより、Ｃ−ＲＡＮによる無線通信ネットワークにおいて、ＢＢＵ１とＲＡＵ２との間の機能分担を適切に切替えることが可能な技術が提供される。
【００９０】
また、前記所定の基準値は、前記ユーザ装置から送信される上りリンク信号若しくは前記ユーザ装置が受信した下りリンク信号のＣＲＣチェック成功率、ＳＩＮＲ、ＳＮＲ、上りリンク信号若しくは下りリンク信号の再送回数、又はチャネル推定誤差であり、前記決定部は、前記ユーザ装置から送信される上りリンク信号若しくは前記ユーザ装置が受信した下りリンク信号のＣＲＣチェック成功率、ＳＩＮＲ、ＳＮＲ、上りリンク信号若しくは下りリンク信号の再送回数、又はチャネル推定誤差に基づいて、前記第一の基地局及び前記第二の基地局が共通に行う信号処理と、前記第三の基地局が行う信号処理との分担を決定するようにしてもよい。これにより、上りリンク信号若しくは下りリンク信号のＣＲＣチェック成功率、ＳＩＮＲ、ＳＮＲ、上りリンク信号若しくは下りリンク信号の再送回数、又はチャネル推定誤差を用いて、ＢＢＵ１とＲＡＵ２との間の機能分担を適切に切替えることが可能になる。
【００９１】
前記所定の基準値は、前記第一の基地局における処理負荷、前記第二の基地局における処理負荷又は前記第三の基地局における処理負荷であり、前記決定部は、前記第一の基地局における処理負荷、前記第二の基地局における処理負荷又は前記第三の基地局における処理負荷に基づいて、前記第一の基地局及び前記第二の基地局が共通に行う信号処理と、前記第三の基地局が行う信号処理との分担を決定するようにしてもよい。これにより、ＲＡＵ２の処理負荷に基づいてＢＢＵ１とＲＡＵ２との間の機能分担を適切に切替えることが可能になる。また、ＲＡＵ２の処理負荷を軽減させることが可能になる。
【００９２】
また、前記所定の基準値は、前記第一の基地局及び前記第二の基地局が備えるアンテナ数のうち少なくともいずれか一方が前記ユーザ装置が備えるアンテナ数以上か否か、であり、前記決定部は、前記第一の基地局及び前記第二の基地局が備えるアンテナ数のうち少なくともいずれか一方が前記ユーザ装置が備えるアンテナ数以上か否かに基づいて、前記第一の基地局及び前記第二の基地局が共通に行う信号処理と、前記第三の基地局が行う信号処理との分担を決定するようにしてもよい。これにより、ユーザ装置ＵＥが備えるアンテナ数とＲＡＵ２が備えるアンテナ数に基づいて、ＢＢＵ１とＲＡＵ２との間の機能分担を適切に切替えることが可能になる。
【００９３】
また、前記決定部は、前記ユーザ装置から送信される上りリンク信号若しくは前記ユーザ装置が受信した下りリンク信号のＣＲＣチェック成功率、ＳＩＮＲ若しくはＳＮＲが所定の閾値以上の場合、前記ユーザ装置から送信される上りリンク信号若しくは前記ユーザ装置が受信した下りリンク信号の再送回数が所定の閾値未満の場合、又は、前記ユーザ装置から送信される上りリンク信号若しくは前記ユーザ装置が受信した下りリンク信号のチャネル推定誤差が所定の閾値未満の場合、上りリンク信号のレイヤ１の全ての信号処理を、前記第一の基地局が備える前記第一の信号処理部及び前記第二の基地局が備える前記第二の信号処理部で行うと決定し、前記第三の信号処理部は、前記第一の信号処理部で信号処理された信号及び前記第二の信号処理部で信号処理された信号のうち、いずれか一方の信号を用いてレイヤ２の信号処理を行うようにしてもよい。これにより、ＦＨで伝送される伝送量を削減しつつ、ＢＢＵ１において協調受信を行うのか否かを決定することが可能になる。
【００９４】
また、前記決定部は、前記ユーザ装置から送信される上りリンク信号若しくは前記ユーザ装置が受信した下りリンク信号のＣＲＣチェック成功率、ＳＩＮＲ若しくはＳＮＲが所定の閾値未満の場合、前記ユーザ装置から送信される上りリンク信号若しくは前記ユーザ装置が受信した下りリンク信号の再送回数が所定の閾値以上である場合、又は、前記ユーザ装置から送信される上りリンク信号若しくは前記ユーザ装置が受信した下りリンク信号のチャネル推定誤差が所定の閾値以上である場合、上りリンク信号のレイヤ１の信号処理の一部を、前記第一の基地局が備える前記第一の信号処理部及び前記第二の基地局が備える前記第二の信号処理部で行い、前記一部以外のレイヤ１の信号処理を、前記第三の基地局が備える前記第三の信号処理部で行うと決定し、前記第三の信号処理部は、前記第一の信号処理部で信号処理された信号及び前記第二の信号処理部で信号処理された信号の両方を用いて、前記一部以外のレイヤ１の信号処理及びレイヤ２の信号処理を行うようにしてもよい。これにより、ＦＨで伝送される伝送量を削減しつつ、ＢＢＵ１において協調受信を行うのか否かを決定することが可能になる。
【００９５】
また、実施の形態によれば、第一の基地局と、第二の基地局と、前記第一の基地局及び前記第二の基地局と通信する第三の基地局と、前記第一の基地局及び前記第二の基地局と通信するユーザ装置とを有する無線通信システムにおいて、前記第三の基地局として用いられる基地局であって、所定の基準値に基づいて、前記第一の基地局及び前記第二の基地局が共通に行う信号処理と、当該基地局が行う信号処理との分担を決定する決定部と、前記決定部で決定された分担に従って、当該基地局が信号処理を行う信号処理部と、を有する、基地局が提供される。この基地局により、Ｃ−ＲＡＮによる無線通信ネットワークにおいて、ＢＢＵ１とＲＡＵ２との間の機能分担を適切に切替えることが可能な技術が提供される。
【００９６】
また、実施の形態によれば、第一の基地局と、第二の基地局と、前記第一の基地局及び前記第二の基地局と通信する第三の基地局と、前記第一の基地局及び前記第二の基地局と通信するユーザ装置とを有する無線通信システムにおいて、前記第一の基地局として用いられる基地局であって、所定の基準値に基づいて、当該基地局及び前記第二の基地局が共通に行う信号処理と、前記第三の基地局が行う信号処理との分担を決定する決定部と、前記決定部で決定された分担に従って、当該基地局が信号処理を行う信号処理部と、を有する、基地局が提供される。この基地局により、Ｃ−ＲＡＮによる無線通信ネットワークにおいて、ＢＢＵ１とＲＡＵ２との間の機能分担を適切に切替えることが可能な技術が提供される。
【００９７】
＜実施形態の補足＞
以上、本発明の実施の形態で説明する各装置（ＢＢＵ１及びＲＡＵ２）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９８】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ＢＢＵ１／ＲＡＵ２は機能的なブロック図を用いて説明されたが、そのような装置はハードウェアで、ソフトウェアで又はそれらの組み合わせで実現されてもよい。本発明の実施の形態に従ってＢＢＵ１が有するプロセッサにより動作するソフトウェア及び本発明の実施の形態に従ってＲＡＵ２が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９９】
実施の形態における第一の基地局及び第二の基地局は、ＲＡＵ２の一例である。第三の基地局はＢＢＵ１の一例である。機能分担決定部１０４又は機能分担決定部２０５は、決定部の一例である。ＵＥ間信号送信部２０１又はＵＥ間信号受信部２０２は、第一の信号処理部及び第二の信号処理部の一例である。ＲＡＵ間信号送信部１０１又はＲＡＵ間信号受信部１０２は、第三の信号処理部の一例である。
【符号の説明】
【０１００】
１  ＢＢＵ
２  ＲＡＵ
ｅＮＢ  基地局
１０１  ＲＡＵ間信号送信部
１０２  ＲＡＵ間信号受信部
１０３  上位レイヤ処理部
１０４  機能分担決定部
２０１  ＵＥ間信号送信部
２０２  ＵＥ間信号受信部
２０３  ＢＢＵ間信号受信部
２０４  ＢＢＵ間信号送信部
２０５  機能分担決定部
３０１  ＲＡＵ間ＩＦ
３０２  ＢＢ処理モジュール
３０３  装置制御モジュール
３０４  通信ＩＦ
４０１  ＲＦモジュール
４０２  ＢＢ処理モジュール
４０３  ＢＢＵ間ＩＦ
【図１】
0006600265.tif 000002
【図２】
0006600265.tif 000003
【図３】
0006600265.tif 000004
【図４】
0006600265.tif 000005
【図５】
0006600265.tif 000006
【図６】
0006600265.tif 000007
【図７】
0006600265.tif 000008
【図８】
0006600265.tif 000009
【図９】
0006600265.tif 000010
【図１０】
0006600265.tif 000011
【図１１】
0006600265.tif 000012
【図１２】
0006600265.tif 000013